(57)【要約】      （修正有）【課題】クラブヘッドの重心位置、高低差及び重量、配分、バランス等を簡単に調整可能にしたゴルフクラブヘッドを提供する。【解決手段】ゴルフクラブヘッドは、ウッド形態のものを対象とし、少なくとも打撃フェース及びソール、クラウンを含む。ソールのトウ側部、ヒール側部及びバック側部に数種の異重量の重心位置調整用錘ネジを水密的に交換可能に装着する。ゴルフクラブヘッドの中空内部に向けてソール部材と一体に凹成した内部に時計方向のネジ部を刻設し、このネジ部にＯリングパッキングを介して異なる重量の重心位置調整用錘ネジを水密的に装着する。【選択図】図１
0003158662.tif 000002
【実用新案登録請求の範囲】
【請求項１】
ゴルフクラブヘッドは、所謂ウッド形態のものを対象とし、少なくとも打撃フェース及びソール、クラウンを含んで構成され、当該ソールのトウ側部、ヒール側部及びバック側部に数種の異重量の重心位置調整用錘ネジを水密的に交換可能に装着できるようにし、ヘッド本体の重心位置、重量、バランス、打撃加重、ヘッドスピードが調整可能に構成したことを特徴とするゴルフクラブヘッド。
【請求項２】
前記ゴルフクラブヘッドの中空内部に向けてソール部材と一体に凹成した内部に時計方向のネジ部を刻設し、このネジ部にＯリングパッキングを介して異なる重量（比重）の前記重心位置調整用錘ネジを水密的に装着した請求項１記載のゴルフクラブヘッド。
【請求項３】
前記重心位置調整用錘ネジは、ゴルフクラブヘッドに対して、比重の大きい部材、少なくとも１〜１０ｇの重量のものを選択実施し、チタン合金、タングステン材、ステンレス材、各種鉄鋼材、銅合金等で形成し、ソールに装着した時、そのネジ頭表部がソール表部より食み出ないように設定し、その頭部表部に刻設した角ネジ溝を設けた請求項１又は２記載のゴルフクラブヘッド。
【請求項４】
前記重心位置調整用錘ネジのソール表部における配設位置は、重量の異なるクラブ性能の変更、微修正をするように、当該ソールのトウ側部、ヒール側部及びバック側部に設定した請求項１乃至３のいずれかに記載のゴルフクラブヘッド。
【請求項５】
前記重心位置調整用錘ネジのソール表部における配設位置は、ドライバーヘッドのフェース面のロフト角が大きい、フェアウェーウッドやユーティリティヘッド（凡そ１５〜３０°）の番手の異なるクラブのソール表部に設定した請求項１乃至４のいずれかに記載のゴルフクラブヘッド。
【考案の詳細な説明】
【技術分野】
【０００１】
この考案はゴルフクラブヘッドに関し、更に詳しくは、ウッド形状のクラブ、例えばドライバーヘッド、フェアウェーウッドヘッド、ユーティリティヘッド等に対して、ゴルフプレーヤーの要求する様々な効果に応じて各ゴルフクラブヘッドの重心位置、重心高低差、ヘッド重量、クラブに必要とするバランス等をウッドクラブヘッドのソール部分やボデイ本体に主として重心位置設定を最も重視したウエイト調整ネジをプレーヤー独自で簡単に装着調整でき、ゴルフプレーヤー対して、最適にマッチングできると共にある程度の打球技術を有するゴルファーであれば、プロが意図するような球筋をクラブヘッドのソール部に簡単な操作でウエイト調整ネジを装着することにより意図したとおりの球筋を打てるだけでなく、シャフト特性ともマッチする効果を体現できるプレーヤーの意図するものを実現するゴルフクラブヘッドに関するものである。
【背景技術】
【０００２】
一般に市場で発売されている多くのゴルフクラブは、平均的アマチュアゴルファーを想定した、如何に容易に然も真っ直ぐに最大の飛距離を得られるかを主眼としたモデルであり、重心位置は、より深く、より低重心、更に方向性を重視した形状のものが大半である。ゴルフプレーにおいてヒットしたボールを正確に狙ったポイントに飛ばすことが重要課題である。ボールの飛行特性はヒット（打撃）されたゴルフボールのスピン量、圧縮加重、回転方向等が密接関係を有することが知られている。これ等を修正する為ゴルフプレーヤーはシャフトをグリップした手の握り方を操作したり、体の回転や体重移動により、ゴルフボールのスピン量や、圧縮加重及び回転方向を微妙にコントロールし、ヒットしたボールを目的ポイントへ飛ばすようにしている。
【０００３】
然し、上級プレーヤー或いはプロゴルファー以外の一般的技術のゴルフプレーヤーには、ゴルフボールのスピン量や圧縮加重及び回転方向を、微妙にコントロールすることは極めて高級技術を必要とし極めて難しく、クラブヘッドのスイートスポットで、正確にヒットできるのは困難を強いられている。このスイートスポットは、一般的にヘッド重心を通る打撃フェースに垂直線上に位置する打撃フェース上のエリア、或いは点と定義されている。
【０００４】
これ等の点を考慮して、特に初級及び中級のゴルフプレーヤーにとっては、ゴルフボールの飛行性にクラブヘッドの重心位置、重心の高低、重量、バランス及びゴルフボールに負荷される打撃加重に大きく影響され、重心高低差はゴルフボールの打出した角度（仰角）に密接な関係を持ち、重心が高くなるとゴルフボールの打出し角度が低くなることが知られている。そして、複数のウッド形状のゴルフクラブヘッドの重心位置や重量配分を異ならせるように工夫をした調整部材を装着できる製品が提供されている。
【０００５】
更に、公知のようにメタル素材ウッド形状本体を備えたゴルフクラブヘッドには、成形後にヘッド本体の重量配分等の変更は殆ど変更することが出来ず、例えば、重量配分を変更するとしても凡そ１０ｇから１５ｇ以内の調整用鉛シートをヘッド本体に貼付けてスイングバランスを変える程度である。そして、この重量シートは厚肉の鉛テープの裏面に粘着層が形成されており、必要な大きさ（重量）に切り離したものを粘着層の接着力を利用してヘッドピースの外面に貼着するようにしてある。然し、このような重量シートをヘッドピースの外面、特にヒット時に地表に接触や擦接するソール表面に貼着した場合、強い接触や粘着層の接着力低下の為、重量シートの剥離や接着位置ずれが生じ、それが原因で調整したウエイトバランスが狂ったり、調整不能が生じていた。
【０００６】
叉、上記重量シートは一般的にはクラブヘッドのフェース面を除くソール部や周側面に貼着されている。その為、クラブの遠心力により打球時のヘッドスピードを大きくしてボールの飛距離を伸ばすという観点からすれば、クラブヘッドは低重心であることが望ましいが、上述のような重量シートをヘッドピースの周側面に貼着した場合、クラブヘッドは重心が上がる為に打球機能を悪化させることになる。
【先行技術文献】
【特許文献】
【０００７】
【特許文献１】米国特許第３０５９９２６号公報
【特許文献２】特開２００７−１３６０６８号公報
【特許文献３】特開２００６−１８７４８９号公報
【特許文献４】特開２００９−１６０３７７号公報
【考案の概要】
【考案が解決しようとする課題】
【０００８】
この考案は、上述した技術に対し、ゴルフクラブヘッドの本体のソール部に、数個のインサート重量調整部材を装着し、異なる重量と材質の錘ネジ部材を装着でき、ゴルフプレーヤーの要求に応じて、組み合わせて選定装着、固定し、重心位置、高低差及び重量、配分、バランス等を任意に然も極めて簡単に調整可能に開発したものである。
ゴルフプレーヤーの技術は初級や中級レベルであっても、その技術はそれぞれ異なっており、叉ゴルフプレーヤーのクラブスイングの軌道、打撃フオーム、クラブ重量やバランス或いは、ヘッドスピード等、これ等の要求もそれぞれ個人によって微妙に異なっている。然し、従来のゴルフクラブの対応技術や性能変更手段ではこのような微細な技術要求に正確に対応できないのが実情である。
そこで、この考案は、ある程度の打球技術を有するゴルファーであれば、プロが意図するような球筋をクラブヘッドのソール部に簡単な操作でウエイト調整ネジを装着することにより意図したとおりの球筋を打てるだけでなく、シャフト特性ともマッチする効果を体現できるヒッターの意図するものを実現する。
【課題を解決するための手段】
【０００９】
この考案は上記問題点に鑑みて案出されたもので、この考案に係わるゴルフクラブヘッドは、所謂ウッド形態のものを対象とし、少なくとも打撃フェース及びソール、クラウンを含んで構成され、当該ソールのトウ側部、ヒール側部及びバック側部に数種の異重量の重心位置調整用錘ネジを水密的に交換可能に装着できるようにし、ヘッド本体の重心位置、重量、バランス、打撃加重、ヘッドスピードが調整可能に構成したことを特徴とする。
【００１０】
すなわち、この考案に係るゴルフクラブヘッドは、上記の目的を達成する手段として、クラブヘッドの中空内部に向けてソール部材と一体に凹成した内部に時計方向のネジ部を刻設し、このネジ部にＯリングパッキングを介して異重量の重心位置調整用錘ネジを水密的に装着し、使用時におけるクラブヘッド本体内への外部からの水分の浸入、吸収や微細な埃粉末類の滲みこみを防止すると同時にネジの弛緩をも防止できる。
この重心位置調整用錘ネジは、クラブヘッド本体に対して、比重の大きい部材、例えばチタン合金、タングステン材、ステンレス材、各種鉄鋼材、銅合金等で形成し、ソールに装着した時そのネジ頭表部がソール表面より食み出ないように設定されていて、頭部表部に刻設した角溝ネジを用いレンジで締め込み装着固定する。
【００１１】
前記、重心位置調整用錘ネジのソール表部の配設位置は、当該ソールのトウ側部、ヒール側部及びバック側部に設定し、重量の異なる効果によりクラブ性能の変更、微修正が可能となり、プレーヤーの望むフック、スライス、高低の打出し角度等の球筋を得られる。
叉、クラブ性能である重心位置のみの調整においては、重心位置調整用錘ネジの重量を任意に変更することにより、重心深度、重心位置を変更し、例えば重心位置を低重心に設定することにより、打球も高く上がり易くなる。
【００１２】
前記、重心位置調整用錘ネジのソール表部における配設は、以後項に述べる実施例においては、ドライバーヘッドに関して図示して説明しているが、ヘッドのフェース面のロフト角が大きい、例えばフェアウェーウッドやユーティリティヘッド（凡そ１５〜３０°）の番手の異なる複数のクラブにも実施できる。
【００１３】
即ち、クラブでボールをヒットした場合、ボールに対し最も効果的に効率良くエネルギーを伝達させることが出来るフェース面上の位置は、ヘッド内重心位置よりフェース面に対し垂直に直下した点、叉はその近傍に存在することは知られている。この考案において、ドライバーヘッドがロフト角が小さい点に着目し、フェース面の幾何学上の中心点か、それより若干トップ部に通常設定されていることである為、この点を考慮してフェアウェーウッドやユーティリティヘッドはドライバーにくらべてロフト角がクラブの番手に対応して増大する為、フェース面上の最良な打点位置が、フェース面の中心よりもヘッドのトップ部前方向へ番手が大きくなるに連動移行し、ヘッド体積がクラブの番手増大に伴い減少する傾向があることもあって、前記打点位置は、フェース面の上端から外れてしまうことが多々生じていた。このようなヘッドを有するクラブを使用すると、前記打点位置より下方部分でボールをヒットすることになる為、予期した以上にボールに対してスピンが架かりボールが高く上がりすぎて飛距離を損すると共に打感音の低下の問題がある。
【００１４】
これ等の問題点を考慮し、この考案の前記重心位置調整用錘ネジはヘッド本体より比重の大きい部材で形成され、ヘッド重心をフェース面に対し垂直に直下したフェース面位置で最良な打点のソール部における配設位置、重量配分に設定する。
【考案の効果】
【００１５】
この考案に係わるウッド形状のクラブ、例えばドライバーヘッド、フェアウェーウッドヘッド、ユーティリティヘッド等によれば、ゴルフプレーヤーの要求する様々な効果に応じて各ゴルフクラブヘッドの重心位置、重心高低差、ヘッド重量、クラブに必要とするバランス等をウッドクラブヘッドのソール部分やボデイ本体に主として重心位置設定を最も重視したウエイト調整ネジをプレーヤー独自で簡単に装着調整でき、ゴルフプレーヤー対して、最適にマッチングできると共にある程度の打球技術を有するゴルファーであれば、プロが意図するような球筋をクラブヘッドのソール部に簡単な操作でウエイト調整ネジを装着することにより意図したとおりの球筋を打てるだけでなく、シャフト特性ともマッチする効果を体現できるプレーヤーの意図するものを実現するゴルフクラブヘッドを提供できる。
【図面の簡単な説明】
【００１６】
【図１】この考案に係わるゴルフクラブヘッドのソール部分の表面を示す斜視図である。
【図２】この考案に係わるゴルフクラブヘッドの重心位置調整用錘ネジの構成を示す部分断面図である。
【図３】図中、（Ａ）は重心位置調整用錘ネジの装着順序を示し、（Ｂ）は重心位置調整用錘ネジの装着後の状態を示す部分断面図である。
【考案を実施するための形態】
【００１７】
このように、本考案によると、プロが意図するような球筋をクラブヘッドのソール部に簡単な操作でウエイト調整ネジを装着することにより意図したとおりの球筋を打てるだけでなく、シャフト特性ともマッチする効果を体現できるといった当初の目的を実現した。
【実施例】
【００１８】
この考案の実施例を図１乃至図３に示す実施の形態に基づいて説明する。
この考案に係わるゴルフクラブヘッド（１）は、所謂ウッド形態のものを対象とし、少なくとも打撃フェース（２）及びソール（３）、クラウン（４）を含んで構成され、当該ソール（３）のトウ側部（５）、ヒール側部（６）及びバック側部（７）に数種の異重量の重心位置調整用錘ネジ（Ｗ）を水密的に交換可能に装着できるようにし、ヘッド本体の重心位置、重量、バランス、打撃加重、ヘッドスピードが調整可能に構成したことを特徴とする。
【００１９】
この考案に係る各項のゴルフクラブヘッド（１）は、上記の目的を達成する手段として、クラブヘッド（１）の中空内部（８）に向けてソール部材と一体に凹成した内部に時計方向のネジ部（９）を刻設し、このネジ部にＯリングパッキング（１０）を介して異なる重量（比重）の前記、重心位置調整用錘ネジ（Ｗ）を水密的に装着し、使用時におけるクラブヘッド本体内への外部からの水分の浸入、吸収や微細な埃粉末類の滲みこみや弛緩をも防止する。
この重心位置調整用錘ネジ（Ｗ）は、クラブヘッド（１）に対して、比重の大きい部材、この実施例では少なくとも１ｇ〜１０ｇの重量のものを選択実施し、例えばチタン合金、タングステン材、ステンレス材、各種鉄鋼材、銅合金等で形成し、ソール（３）に装着した時、そのネジ頭表部がソール表部（３ａ）より食み出ないように設定されていて、頭部表部に刻設した角ネジ溝（１１）を用いレンジで締め込み装着固定する。
【００２０】
前記、重心位置調整用錘ネジ（Ｗ）のソール表部（３ａ）における配設位置は、当該ソールのトウ側部（５）、ヒール側部（６）及びバック側部（７）に設定し、重量の異なる効果によりクラブ性能の変更、微修正が可能となり、プレーヤーの望むフック、スライス、高低の打出し角度等の球筋を得られる。
叉、クラブ性能である重心位置のみの調整においては、重心位置調整用錘ネジ（Ｗ）の重量を任意に変更することにより、重心深度、重心位置を変更し、例えば重心位置を低重心に設定することにより、打球も高く上がり易くなる。
【００２１】
前記、重心位置調整用錘ネジ（Ｗ）のソール表部（３ａ）における配設は、実施例においては、ドライバーヘッドに関して図示して説明しているが、ヘッドのフェース面（２ａ）のロフト角が大きい、例えばフェアウェーウッドやユーティリティヘッド（凡そ１５〜３０°）の番手の異なる複数のクラブにも実施できる。
【００２２】
即ち、クラブでボールをヒットした場合、ボールに対し最も効果的に効率良くエネルギーを伝達させることが出来るフェース面（２ａ）上の位置は、ヘッド内重心位置よりフェース面（２ａ）に対し垂直に直下した点、叉はその近傍に存在することは知られている。この考案において、ドライバーヘッドがロフト角の小さい点に着目し、フェース面（２ａ）の幾何学上の中心点か、それより若干トップ部に通常設定されていることである為、この点を考慮してフェアウェーウッドやユーティリティヘッドはドライバーにくらべてロフト角がクラブの番手に対応して増大する為、フェース面（２ａ）上の最良な打点位置が、フェース面（２ａ）の中心よりもヘッドのトップ部前方向へ番手が大きくなるに連動移行し、ヘッド体積がクラブの番手増大に伴い減少する傾向があることもあって、前記打点位置は、フェース面（２ａ）の上端から外れてしまうことが多々生じていた。このようなヘッドを有するクラブを使用すると、前記打点位置より下方部分でボールをヒットすることになる為、予期した以上にボールに対してスピンが架かりボールが高く上がりすぎて飛距離を損すると共に打感音の低下の問題がある。
【００２３】
これ等の問題点を考慮し、この考案の前記重心位置調整用錘ネジ（Ｗ）はクラブヘッド（１）の本体より比重の大きい部材で形成され、ヘッド重心をフェース面（２ａ）に対し垂直に直下したフェース面（２ａ）位置で最良な打点のソール部における配設位置、重量配分に設定する。
【産業上の利用可能性】
【００２４】
上述した考案技術により、クラブヘッドの本体のソール部に、数個のインサート重量調整部材を装着し、異なる重量と材質の錘ネジ部材を装着でき、ゴルフプレーヤーの要求に応じて、組み合わせて選定装着、固定し、重心位置、高低差及び重量、配分、バランス等を任意に然も極めて簡単に調整可能になる。
従って、ゴルフプレーヤーの技術が初級や中級レベルであっても、ある程度の打球技術を有するゴルファーであれば、プロが意図するような球筋をクラブヘッドのソール部に簡単な操作でウエイト調整ネジを装着することにより意図したとおりの球筋を打てるだけでなく、クラブ特性ともマッチする効果を体現できるヒッターの意図する効果を発揮できる。そして、この考案によるゴルフヘッドによれば、ゴルファー自身が自分に適合するゴルフクラブヘッドの性能変更調整が可能になると共に、ドライバーで代表される全てのウッドクラブ、例えばフェアウェーヘッド・ユーティリティヘッド等にも実施が可能になり、ゴルファーに対する最適な利用効果が期待できる有益な考案である。
【符号の説明】
【００２５】
Ｗ  重心位置調整用錘ネジ
１  ゴルフクラブヘッド
２  打撃フェース
３  ソール
３ａ  ソール表部
４  クラウン
５  トウ側部
６  ヒール側部
７  バック側部
８  クラブヘッドの中空内部
９  ネジ部
１０  Ｏリングパッキング
１１  角ネジ溝
【図１】
0003158662.tif 000003
【図２】
0003158662.tif 000004
【図３】
0003158662.tif 000005
【手続補正書】
【提出日】平成22年2月4日(2010.2.4)
【手続補正１】
【補正対象書類名】実用新案登録請求の範囲
【補正対象項目名】請求項１
【補正方法】変更
【補正の内容】
【請求項１】
ゴルフクラブヘッドは、ウッド形態のものを対象とし、少なくとも打撃フェース及びソール、クラウンを含んで構成され、当該ソールのトウ側部、ヒール側部及びバック側部に数種の異重量の重心位置調整用錘ネジを水密的に交換可能に装着できるようにし、ヘッド本体の重心位置、重量、バランス、打撃加重、ヘッドスピードが調整可能に構成したことを特徴とするゴルフクラブヘッド。
【手続補正２】
【補正対象書類名】実用新案登録請求の範囲
【補正対象項目名】請求項２
【補正方法】変更
【補正の内容】
【請求項２】
前記ゴルフクラブヘッドの中空内部に向けてソール部材と一体に凹成した内部に時計方向のネジ部を刻設し、このネジ部にＯリングパッキングを介して異なる重量の前記重心位置調整用錘ネジを水密的に装着した請求項１記載のゴルフクラブヘッド。
【手続補正３】
【補正対象書類名】実用新案登録請求の範囲
【補正対象項目名】請求項３
【補正方法】変更
【補正の内容】
【請求項３】
前記重心位置調整用錘ネジは、ゴルフクラブヘッドに対して、比重の大きい部材、１〜１０ｇの重量のものを選択実施し、チタン合金、タングステン材、ステンレス材、各種鉄鋼材、銅合金で形成し、ソールに装着した時、そのネジ頭表部がソール表部より食み出ないように設定し、その頭部表部に刻設した角ネジ溝を設けた請求項１又は２記載のゴルフクラブヘッド。
【手続補正４】
【補正対象書類名】実用新案登録請求の範囲
【補正対象項目名】請求項５
【補正方法】変更
【補正の内容】
【請求項５】
前記重心位置調整用錘ネジのソール表部における配設位置は、ドライバーヘッドのフェース面のロフト角が大きい、フェアウェーウッドやユーティリティヘッドの番手の異なるクラブのソール表部に設定した請求項１乃至４のいずれかに記載のゴルフクラブヘッド。